(57)【要約】【課題】操作パネルの取り替えを必要とせずに、不停止階の設定変更などに伴う操作ボタンの誤操作を防ぐ。【解決手段】乗りかご１３内に設けられた操作パネル２１を電子ペーパーで構成し、操作パネル２１に各階床の操作ボタンを表示する。ここで、不停止階の設定変更に伴い、制御装置１４は操作パネル２１上の該当する階床の操作ボタンの表示形態を変更する。これにより、利用者によって不停止階の操作ボタンが誤操作されることを防ぐ。【選択図】      図１
2010208775.tif 000002
【特許請求の範囲】
【請求項１】
乗りかご内に設置され、行先階として指定するための各階床の操作ボタンを表示可能な電子ペーパーからなる操作パネルと、
予め不停止階として設定された階床のデータを記憶した不停止階管理テーブルと、
この不停止階管理テーブルに記憶された不停止階の階床データに基づいて、上記操作パネル上で該当する階床の操作ボタンの表示形態を変更する表示制御手段と
を具備したことを特徴とするエレベータの制御装置。
【請求項２】
上記表示制御手段は、上記不停止階管理テーブルに記憶された不停止階の階床データに基づいて、上記操作パネル上で該当する階床の操作ボタンを非表示とすることを特徴とする請求項１記載のエレベータの制御装置。
【請求項３】
上記表示制御手段は、上記不停止階管理テーブルに記憶された不停止階の階床データに基づいて、上記操作パネル上で該当する階床の操作ボタンの表示エリアにエレベータが通過する旨のメッセージを表示することを特徴とする請求項１記載のエレベータの制御装置。
【請求項４】
不停止階として設定された階床を通過して運転する不停止階運転モードを設定するモード設定手段を備え、
上記表示制御手段は、上記モード設定手段によって上記不停止階運転モードが設定された場合に上記不停止階管理テーブルに記憶された不停止階の階床データに基づいて、上記操作パネル上で該当する階床の操作ボタンの表示形態を変更することを特徴とする請求項１記載のエレベータの制御装置。
【請求項５】
予め利用者の行先階として設定された階床のデータを記憶した行先階管理テーブルと、
利用者を認証する認証手段とを備え、
上記表示制御手段は、上記操作パネルに対する各階の操作ボタンを非表示とした状態で、上記認証手段によって利用者が認証された場合に上記行先階管理テーブルに記憶された行先階の階床データに基づいて、その行先階の操作ボタンのみを選択的に表示することを特徴とする請求項１記載のエレベータの制御装置。
【請求項６】
各階床の乗場に設置され、乗場呼びを登録するための操作ボタンを表示可能な電子ペーパーからなる複数の乗場用操作パネルを備え、
上記表示制御手段は、上記不停止階管理テーブルに記憶された不停止階の階床データに基づいて、上記各乗場用操作パネルの中で該当する階床の乗場に設置された操作パネルの表示形態を変更することを特徴とする請求項１記載のエレベータの制御装置。
【請求項７】
予め利用者の行先階として設定された階床のデータを記憶した行先階管理テーブルと、
利用者を認証する認証手段とを備え、
上記表示制御手段は、上記各乗場用操作パネルの操作ボタンを非表示とした状態で、上記認証手段によって利用者が認証された場合に上記行先階管理テーブルに記憶された行先階の階床データに基づいて、上記各乗場用操作パネルの中で該当する階床の乗場に設置された操作パネルの操作ボタンのみを選択的に表示することを特徴とする請求項６記載のエレベータの制御装置。
【発明の詳細な説明】
【技術分野】
【０００１】
本発明は、乗りかご内や乗場に設置された操作ボタンに電子ペーパーを用いたエレベータの制御装置に関する。
【背景技術】
【０００２】
エレベータの乗りかご内には、行先階を指定するための各階床の操作ボタンが設置されている。利用者はその操作ボタンを押下して目的とする階床に移動することができる。また、各階床の乗場には、乗場呼びを登録するための操作ボタンが設置されており、その操作ボタンを押下してエレベータを呼ぶことができる。通常、これらの操作ボタンは押下式スイッチで構成されている。
【０００３】
ところで、エレベータでは、不停止階を任意に設定することができる（例えば、特許文献１参照）。不停止階とは、エレベータが止まらずに通過する階のことである。この不停止階に対応した操作ボタンが押下された場合に、その操作ボタンの表示灯を点灯しないようにロックして、利用者に不停止階であることを知らしめることが一般的に行われている（例えば、特許文献２参照）。
【先行技術文献】
【特許文献】
【０００４】
【特許文献１】特開２００６−５２０５７号公報
【特許文献２】特開平２−７５５８０号公報
【発明の概要】
【発明が解決しようとする課題】
【０００５】
上述したように、従来、不停止階の設定に伴い、該当する操作ボタンの表示灯がロックされるようになっている。しかしながら、操作ボタン自体は物理的に残っているため、利用者は操作できるものと勘違いして、何度も押してしまうことがある。
【０００６】
この場合、不停止階の設定変更に合わせて操作パネル自体を取り替えるといった方法もあるが、そのための取り替え工事が必要であり、その間、運転サービスが行えなくなる問題がある。
【０００７】
本発明は上記のような点に鑑みなされたもので、操作パネルの取り替えを必要とせずに、不停止階の設定変更などに伴う操作ボタンの誤操作を防ぐことのできるエレベータの制御装置を提供することを目的とする。
【課題を解決するための手段】
【０００８】
本発明に係るエレベータの制御装置は、乗りかご内に設置され、行先階として指定するための各階床の操作ボタンを表示可能な電子ペーパーからなる操作パネルと、予め不停止階として設定された階床のデータを記憶した不停止階管理テーブルと、この不停止階管理テーブルに記憶された不停止階の階床データに基づいて、上記操作パネル上で該当する階床の操作ボタンの表示形態を変更する表示制御手段とを具備したことを特徴とする。
【発明の効果】
【０００９】
本発明によれば、操作パネルを電子ペーパーで構成することで、操作パネルの取り替えを必要とせずに、不停止階の設定変更などに伴う操作ボタンの誤操作を防ぐことができる。
【図面の簡単な説明】
【００１０】
【図１】図１は本発明の一実施形態に係るエレベータの構成を示す図である。
【図２】図２は同実施形態におけるエレベータの乗りかごの内部の構成を示す図である。
【図３】図３は同実施形態におけるエレベータの乗場の構成を示す図である。
【図４】図４は同実施形態におけるエレベータの制御装置の機能構成を示すブロック図である。
【図５】図５は同実施形態におけるエレベータの制御装置に設けられた不停止階管理テーブルの一例を示す図である。
【図６】図６は同実施形態におけるエレベータの制御装置に設けられた行先階管理テーブルの一例を示す図である。
【図７】図７は同実施形態における乗りかご内の操作パネルの通常時の表示例を示す図である。
【図８】図８は同実施形態における乗りかご内の操作パネルのボタン操作時の表示例を示す図である。
【図９】図９は同実施形態における乗りかご内の操作パネルの不停止階の表示例を示す図である。
【図１０】図１０は同実施形態における乗りかご内の操作パネルの不停止階の他の表示例を示す図である。
【発明を実施するための形態】
【００１１】
以下、図面を参照して本発明の実施形態を説明する。
【００１２】
図１は本発明の一実施形態に係るエレベータの構成を示す図である。図中の１０はエレベータが設置されたビルを示している。
【００１３】
ビル１０内の昇降路１１には、エレベータの乗りかご１３が各階床間を昇降可能に設置されている。なお、図１では、乗りかご１３を昇降動作させるための機構などについては省略されている。
【００１４】
一方、ビル１０内の機械室１２には、エレベータの運転制御を行うための制御装置１４が設置されている。この制御装置１４には、インタフェース１５を介して端末装置１６が着脱可能に接続される。この端末装置１６は、エレベータの管理者や保守員が不停止階を設定変更する場合などに使用する。
【００１５】
一方、乗りかご１３内には、利用者が行先階を指定するための各階床の操作ボタンを有する操作パネル２１が設けられている。本実施形態において、この操作パネル２１は電子ペーパーで構成されており、各階床の操作ボタンを任意選択的に表示することができる。
【００１６】
なお、「電子ペーパー」とは、表示内容を電気的に書き替え可能な表示媒体のことであり、紙の長所とされる視認性や携帯性を有し、表示中の電力が不要であることなどが特徴である。この電子ペーパーの表示技術には、例えば液晶方式、電気泳動方式、電子粉流体方式、マイクロカプセル方式、エレクトロウェッティング方式などがあるが、本発明では、これらの表示技術に特に限定されるものではない。また、その具体的な構造についても周知であるため、ここではその説明を省略する。
【００１７】
また、乗りかご１３内には、戸開を指示するための戸開ボタン２２、戸閉を指示するための戸閉ボタン２３、現在位置と進行方向を表示するインジケータ２４などの他に、不停止切替えスイッチ２５、認証装置２６、アナウンス装置２７が設けられている。不停止切替えスイッチ２５は、不停止階運転モードに切り替えるためのスイッチである。認証装置２６は、例えば磁気カードやＩＣカードなどを用いて利用者を認証する。アナウンス装置２７は、不停止階の案内などを音声にてアナウンスする。
【００１８】
図２はエレベータの乗りかご１３の内部の構成を示す図である。
【００１９】
図２に示すように、乗りかご１３の正面の乗降口にかごドア２８が開閉自在に設けられており、そのかごドア２８の周辺に上述した操作パネル２１などが配設されている。乗りかご１３に乗車した利用者は、操作パネル２１上に表示された各階床の操作ボタンを押下して目的とする階床に移動することができる。
【００２０】
一方、エレベータの乗場３０には、乗場呼びを登録するための操作ボタンを有する操作パネル３１が設けられている。上記操作パネル２１と同様に、この操作パネル３１についても電子ペーパーで構成されており、呼び登録用の操作ボタンを任意選択的に表示することができる。
【００２１】
また、この乗場３０には、不停止階運転モードに切り替えるための不停止切替えスイッチ３２、利用者を認証するための認証装置３３、不停止階の案内などを音声にてアナウンスするためのアナウンス装置３４が設けられている。
【００２２】
図３はエレベータの乗場３０の構成を示す図である。
【００２３】
図３に示すように、乗場３０には乗場ドア３５が開閉自在に設けられている。乗場ドア３５は、乗りかご１３が乗場３０に着床したときに、かごドア２８に連動して開閉動作する。この乗場ドア３５の周辺に上述した操作パネル３１などが配設されている。乗場３０に来た利用者は、操作パネル３１上に表示された操作ボタンを押下することで、エレベータをその階に呼ぶことができる。
【００２４】
なお、図１の例では、１つの階床の乗場３０しか図示されていないが、実際には各階床の乗場３０が存在し、図３と同様の構成になっている。
【００２５】
図４はエレベータの制御装置１４の機能構成を示すブロック図である。制御装置１４は、コンピュータから構成されており、所定のプログラムに従ってエレベータの運転制御を行うと共に、ここでは操作ボタンに関わる一連の処理を実行する。
【００２６】
図４に示すように、制御装置１４には、処理部４１、記憶部４２、通信部４３、電源制御部４４が備えられている。
【００２７】
処理部４１は、ボタン表示処理部４１ａ、ボタン操作検出部４１ｂ、運転切替え部４１ｃ、データ変更部４１ｄからなる。
【００２８】
ボタン表示処理部４１ａは、乗りかご１３内の操作パネル２１および乗場３０の操作パネル３１に対する操作ボタンの表示制御を行う。ボタン操作検出部４１ｂは、操作パネル２１，３１に表示された操作ボタンが操作されたか否かを検出する。
【００２９】
運転切替え部４１ｃは、乗りかご１３内に設置された不停止切替えスイッチ２５または乗場３０に設置された不停止切替えスイッチ３２が操作されたときに、通常の運転モードから不停止階運転モードに切り替えて、不停止階として設定された階床を通過して運転する。データ変更部４１ｄは、インタフェース１５に接続された端末装置１６からの指示に従って各種データの変更処理を行う。
【００３０】
記憶部４２には、乗りかご１３内の操作パネル２１および各階の乗場３０の操作パネル３１に表示させる情報が記憶されている。さらに、この記憶部４２には、不停止階として設定された階床を管理するための不停止階管理テーブル４２ａ（図５参照）と、利用者の行先階を管理するための行先階管理テーブル４２ｂ（図６参照）が設けられている。
【００３１】
通信部４３は、図示せぬ監視センタや営業所などに設置された外部端末装置との間でデータの通信処理を行う。電源制御部４４は、エレベータの各部の駆動に必要な電力を供給する。
【００３２】
図５は不停止階管理テーブル４２ａの一例を示す図である。
【００３３】
不停止階管理テーブル４２ａには、予め不停止階として設定された階床のデータが登録されている。この例では、３階が不停止階として設定されている。したがって、不停止階運転モードに切り替えられると、３階には止まらずに運転が行われる。また、後述するように、不停止階の設定に合わせて操作パネル２１，３１に対する操作ボタンの表示変更が行なわれる。
【００３４】
図６は行先階管理テーブル４２ｂの一例を示す図である。
【００３５】
行先階管理テーブル４２ｂには、予め利用者の行先階として設定された階床のデータが登録されている。この例では、利用者Ａは１階と３階、利用者Ｂは１階と３階が行先階として設定され、利用者Ｃは１階と４階、利用者Ｄは１階と４階が行先階として設定されている。
【００３６】
次に、同実施形態の動作について説明する。
【００３７】
（ａ）通常の運転モード
通常の運転モードが設定されている場合、制御装置１４は、予め記憶部４２に記憶された表示情報に基づいて、乗りかご１３内の操作パネル２１に各階床の操作ボタンを表示する。例えば、１階〜６階を有するビルであれば、これらの階床に対応した操作ボタンが行先階指定ボタンとして操作パネル２１に所定の配列で表示されることになる。図７にそのときの表示例を示す。
【００３８】
ここで、操作パネル２１上の任意の階床の操作ボタンが押下されたことを制御装置１４が検出すると、操作パネル２１に対して所要の電力を供給して、その押された操作ボタンの表示形態を変更する。具体的には、当該操作ボタンの表示色を変更して、登録済みであることを知らしめるようにする。図８にそのときの表示例を示す。この例では、４階行きの操作ボタンが押下された状態が示されている。
【００３９】
ボタン表示変更後、制御装置１４は操作パネル２１への電力供給を停止する。この場合、操作パネル２１は電子ペーパーで構成されているため、電力供給が停止されても、その直前の表示状態は保持される。そして、制御装置１４は、乗りかご１３が着床したことを図示せぬ着床スイッチの信号入力により検出すると、操作パネル２１に対する電力供給を行って、当該操作ボタンの表示を押下前の状態に戻した後、再び電力供給を停止する。
【００４０】
各階床の乗場３０に設置された操作パネル３１に対しても同様である。  
すなわち、制御装置１４は、予め記憶部４２に記憶された表示情報に基づいて、各階の乗場３０の操作パネル３１に乗場呼び登録用の操作ボタンを表示する。
【００４１】
ここで、ある階の操作パネル３１の操作ボタンが押下されたことを制御装置１４が検出すると、操作パネル３１に対して所要の電力を供給して、その押された操作ボタンの表示形態を変更する。具体的には、当該操作ボタンの表示色を変更して、登録済みであることを知らしめるようにする。
【００４２】
ボタン表示変更後、制御装置１４は操作パネル３１への電力供給を停止する。そして、乗りかご１３が着床したことを図示せぬ着床スイッチの信号入力により検出すると、操作パネル３１に対する電力供給を行って、当該操作ボタンの表示を押下前の状態に戻した後、再び電力供給を停止する。
【００４３】
（ｂ）不停止階運転モード
不停止階運転モードは、乗りかご１３内に設けられた不停止切替えスイッチ２５、あるいは、乗場３０に根受けられた不停止切替えスイッチ３２の操作により設定される。なお、この不停止切替えスイッチ２５，３２は一般の利用者が勝手に操作しないように鍵付きのボックス内に設けられているのが一般的である。
【００４４】
不停止切替えスイッチ２５あるいは不停止切替えスイッチ３２が操作されたことを制御装置１４が検出すると、不停止階運転モードに切り替えられた旨のメッセージを乗りかご１３内の操作パネル２１と乗場３０の操作パネル３１の所定のエリアに表示する。
【００４５】
また、制御装置１４は、記憶部４２に設けられた不停止階管理テーブル４２ａから不停止階の階床データを読み出し、乗りかご１３内の操作パネル２１と乗場３０の操作パネル３１に対して不停止階の表示を行う。なお、操作パネル２１や操作パネル３１に対して表示処理を行う間は、所要の電力が供給される。
【００４６】
ここで、不停止階の表示方法としては、乗りかご１３内の操作パネル２１であれば、該当する階床の操作ボタンを非表示とするか、あるいは、その表示エリアに「通過」等の文字メッセージを表示するなどがある。図９に不停止階として設定された階床の操作ボタンを非表示とした場合の例、図１０に「通過」文字を表示した場合の例を示す。これらの例では、４階が不停止階として設定されている。
【００４７】
このように、不停止階が設定されている場合に、操作パネル２１上の該当する階床の操作ボタンを非表示、あるいは、その表示エリアにエレベータが通過する旨を表示することで、利用者に不停止階であることを認識させることができる。
【００４８】
この場合、従来のような押下式スイッチで操作ボタンが構成されていると、押下による点灯表示を禁止するような工夫がなされていても、操作ボタン自体は存在するため、利用者が操作できるものと誤解する可能性がある。これに対し、本実施形態では、操作ボタン自体が消えるか、あるいは、別の文字が表示されるので、利用者の誤操作を確実に防ぐことができる。
【００４９】
また、操作パネル２１上で利用者が不停止階の操作ボタンを誤って押下した場合には、制御装置１４は乗りかご１３内に設置されたアナウンス装置２７を通じてエレベータが停止しない階であることをアナウンスする。
【００５０】
乗場３０の操作パネル３１に対しても同様であり、各階床の乗場３０の中で不停止階として設定された乗場３０の操作パネル３１上の操作ボタンを非表示、あるいは、その表示エリアに「通過」等の文字を表示する。また、その操作ボタンが利用者によって誤って押されたら、アナウンス装置３４を通じてエレベータが停止しない階であることをアナウンスする。
【００５１】
なお、不停止階運転モードへの切替えは、乗りかご１３内に設けられた不停止切替えスイッチ２５や乗場３０に設けられた不停止切替えスイッチ３２の操作の他に、予め指定された日時に従って行うことでも良い。この場合、不停止階運転モードに切り替える日時を定めたスケジュールデータを記憶部４２に登録しておき、処理部４１がそのスケジュールデータに従って不停止階運転モードへの切り替えを行うことになる。
【００５２】
（ｃ）利用者の認証に連動した不停止階設定
乗りかご１３内に認証装置２６が設けられている。この認証装置２６は、磁気カードやＩＣカード等を用いて、予めエレベータの利用が許可された利用者であるか否かを認証する。なお、認証方法については一般的に知られている方法を用いるものとし、ここではその詳しい説明は省略するものとする。
【００５３】
今、乗りかご１３内の操作パネル２１に各階床の操作ボタンが非表示の状態であるとする。つまり、すべての階が不停止階として設定されている状態である。
【００５４】
ここで、乗りかご１３内に乗車した利用者が磁気カードやＩＣカード等の認証用のメディアを認証装置２６に接触させると、制御装置１４は、記憶部４２に設けられた行先階管理テーブル４２ｂから当該利用者の行先階のデータを取得し、その行先階に対応した操作ボタンを操作パネル２１に表示する。
【００５５】
この場合、図６に示した利用者Ａであれば、１階と３階の操作ボタンが操作パネル２１に表示されることになる。これにより、利用者Ａは操作パネル２１に表示された操作ボタンを押下して１階または３階に行くことができる。乗りかご１３が利用者の行先階に着くと、その利用者用に表示されていた操作ボタンの表示が消える。
【００５６】
また、乗場３０において、利用者が認証装置３３によって認証されると、制御装置１４は、記憶部４２に設けられた行先階管理テーブル４２ｂから当該利用者の行先階のデータを取得し、その利用者の行先階の乗場３０を対象として、そこに設置された操作パネル３１に操作ボタンを表示して乗場呼びを登録可能な状態とする。乗場呼びの登録後、その操作ボタンの表示を消して他人が使えないようにしておく。
【００５７】
このように、乗りかご１３内の操作パネル２１や乗場３０の操作パネル３１において、正規の利用者であると認証された場合にのみ、その利用者が利用する操作ボタンを選択的に表示することで、エレベータのセキュリティを確保することができる。
【００５８】
（ｄ）データ変更
次に、記憶部４２に記憶された各種データの変更方法について説明する。
【００５９】
保守員が持つ端末装置１６を制御装置１４に設けられたインタフェース１５に接続した状態で、端末装置１６から変更指示を入力することにより、記憶部４２内のデータを変更することができる。
【００６０】
その変更対象には、図５に示した不停止階管理テーブル４２ａや図６に示した行先階管理テーブル４２ｂが含まれる。すなわち、不停止階の設定変更を行う場合に、利用者の行先階の設定変更を行う場合などにおいて、端末装置１６を操作することにより簡単に変更を行うことができる。
【００６１】
また、監視センタや営業所などの外部に設置された端末装置から通信部４３を介して制御装置１４に接続して、記憶部４２のデータを遠隔的に変更操作することも可能である。この場合には、保守員が現場に出向かなくとも、不停止階や利用者の行先階の設定変更を行うことができる。
【００６２】
以上のように、乗りかご１３内の操作パネル２１や乗場３０の操作パネル３１を電子ペーパーで構成することにより、不停止階の設定に伴う操作ボタンの表示変更を可能とし、利用者による誤操作を防ぐことができる。
【００６３】
この場合、本発明は、電子ペーパーを用いた一般的な表示案内とは違って、利用者がエレベータを利用するときに使う操作パネルを対象として、その操作パネルに対する操作ボタンの表示をエレベータ特有の不停止階の設定に応じて切り替えることが特徴である。これにより、利用者が不停止階と設定されている階床の操作ボタンを誤操作して不愉快に感じすることを防いで、快適な運転環境を実現するものである。
【００６４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６５】
１０…ビル、１１…昇降路、１２…機械室、１３…乗りかご、１４…制御装置、１５…インタフェース、１６…端末装置、２１…操作パネル、２２…戸開ボタン、２３…戸閉ボタン、２４…インジケータ、２５…不停止切替えスイッチ、２６…認証装置、２７…アナウンス装置、２８…かごドア、３０…乗場、３１…操作パネル、３２…不停止切替えスイッチ、３３…認証装置、３４…アナウンス装置、３５…乗場ドア、４１…処理部、４１ａ…ボタン表示処理部、４１ｂ…ボタン操作検出部、４１ｃ…運転切替え部、４１ｄ…データ変更部、４２…記憶部、４２ａ…不停止階管理テーブル、４２ｂ…行先階管理テーブル、４３…通信部、４４…電源制御部。
【図１】
2010208775.tif 000003
【図２】
2010208775.tif 000004
【図３】
2010208775.tif 000005
【図４】
2010208775.tif 000006
【図５】
2010208775.tif 000007
【図６】
2010208775.tif 000008
【図７】
2010208775.tif 000009
【図８】
2010208775.tif 000010
【図９】
2010208775.tif 000011
【図１０】
2010208775.tif 000012